(57)【要約】【課題】【解決手段】複数の独立移動システム（１０１−Ａ、１０１−Ｂ）を有するネットワークにおいて、移動局ＭＳ（１０５−Ｂ）のユーザに対してボイスメッセージを提供するための通信ネットワーク及び方法。各独立移動システムは、移動交換局ＭＳＣ（１０２−Ａ、１０２−Ｂ）、ショートメッセージサービスセンターＳＭＳ−Ｃ（１０３−Ａ、１０３−Ｂ）、及びボイスメッセージシステムＶＭＳ（１０４−Ａ、１０４−Ｂ）を含み、各ＶＭＳは一意の識別子コードによって識別される。受信されたボイスメッセージをＶＭＳ（１０４−Ａ、１０４−Ｂ）に記憶し、ＳＭＳ通知メッセージ（１０７）をＭＳに送信する。各ＶＭＳは一意の識別子コードによって識別されるので、ＭＳ（１０５−Ｂ）は、ＳＭＳ通知メッセージ（１１７）に含まれたコードにダイヤルすることによってボイスメッセージを検索することができ、ボイスメッセージ検索を要求する時点でどの独立移動システムがＭＳにサービスを提供しているかは無関係である。【選択図】  図１
2010537462.tif 000002
【特許請求の範囲】
【請求項１】
少なくとも第１及び第２の独立移動システムを有する通信ネットワークにおいて移動局（ＭＳ）のユーザに対してボイスメッセージを提供するための方法であって、前記独立移動システムの各々が、移動交換局（ＭＳＣ）、ショートメッセージサービスセンター（ＳＭＳ−Ｃ）、及びボイスメッセージシステム（ＶＭＳ）を含み、各前記ＶＭＳが一意の識別子コードによって識別される、前記方法が、
第１の独立移動システムの第１のＭＳＣにおいてＭＳに対するコール要求を受信するステップと、
前記コール要求を前記第１のＭＳＣから第２の独立移動システムの第２のＭＳＣを介して前記ＭＳにルーティングするステップであって、前記第２の独立移動システムが現在前記第２のＭＳにサービスを提供している、ステップと、
前記第２のＭＳが前記コールに応答しない場合、前記第１又は第２の独立移動システムのボイスメールシステム（ＶＭＳ）にボイスメッセージを記憶するステップと、
前記ＶＭＳによって、ショートメッセージサービスセンター（ＳＭＳ−Ｃ）がＳＭＳ通知メッセージを前記ＭＳに送信することを要求するステップと、
前記ＳＭＳ−Ｃによって、前記ＳＭＳ通知メッセージを前記第２のＭＳＣを介して前記ＭＳに送信するステップであって、前記ＳＭＳ通知メッセージが前記ＶＭＳの一意の識別子コードを含み、これによって、前記第２のＭＳが、いずれかの独立移動システムによってサービスが提供されている場合に、前記ＶＭＳの前記一意の識別子コードにコールを行うことによって、前記ボイスメッセージを検索することができる、ステップと、
を含む、方法。
【請求項２】
前記ＭＳが、いずれかの独立移動システムによってサービスが提供されている場合に、前記ボイスメッセージを検索することができ、前記方法が、
前記ボイスメッセージに対する前記ＭＳからの要求を前記いずれかの独立移動システムのＭＳＣにおいて受信するステップであって、前記要求が、前記ＳＭＳ通知メッセージにおいて受信された前記ＶＭＳの前記一意の識別子コードへと向けられている、ステップと、
前記ボイスメッセージに対する前記要求を前記いずれかの独立移動システムの前記ＭＳＣから前記ＶＭＳにルーティングするステップと、
前記ボイスメッセージに対する前記要求を前記ＶＭＳにおいて受信するステップと、
前記ボイスメッセージを前記ＶＭＳから前記ＭＳに送信するステップと、
を更に含む、請求項１に記載の方法。
【請求項３】
前記ボイスメッセージに対する前記要求を前記いずれかの独立移動システムの前記ＭＳＣから前記ＶＭＳにルーティングする前記ステップが、
前記ボイスメッセージに対する前記要求を前記いずれかの独立移動システムの前記ＭＳＣから前記第１又は第２の独立移動システムの前記第１又は第２のＭＳＣにルーティングするステップと、
前記ボイスメッセージに対する前記要求を前記第１又は第２の独立移動システムの前記第１又は第２のＭＳＣから前記ＶＭＳにルーティングするステップと、
を含む、請求項２に記載の方法。
【請求項４】
前記ボイスメッセージを前記ＶＭＳから前記ＭＳに送信する前記ステップが、
前記ボイスメッセージを前記いずれかの独立移動システムのメディアゲートウェイ（ＭＧＷ）に送信するステップと、
前記ボイスメッセージを前記いずれかの独立移動システムの前記ＭＧＷから前記ＭＳに送信するステップと、
を含む、請求項３に記載の方法。
【請求項５】
各前記独立移動システムの前記ＭＳＣ、ＳＭＳ−Ｃ、及びＶＭＳが、物理的に同じ場所に配置されている、請求項１に記載の方法。
【請求項６】
前記ＭＳが、いずれかの独立移動システムによってサービスが提供されている場合に、複数のＶＭＳによって記憶された複数のボイスメッセージを検索することができ、前記方法が、
現在前記ＭＳにサービスを提供している前記いずれかの独立移動システムのＭＳＣにおいて、全てのボイスメッセージに対する前記ＭＳからの要求を受信するステップであって、前記要求がボイスメッセージのための共通の識別子コードへと向けられる、ステップと、
前記全てのボイスメッセージに対する前記要求を、現在前記ＭＳにサービスを提供している前記いずれかの独立移動システムの前記ＭＳＣから前記いずれかの独立移動システムのＶＭＳにルーティングするステップと、
現在前記ＭＳにサービスを提供している前記いずれかの独立移動システムの前記ＶＭＳによって、前記通信ネットワーク内の全ての独立移動システムの各ＶＭＳ上に記憶された前記ＭＳに対する各個別ボイスメッセージを要求するステップと、
前記各個別ボイスメッセージを前記ＭＳに送信するステップと、
を更に含む、請求項１に記載の方法。
【請求項７】
各前記個別ボイスメッセージを前記ＭＳに送信する前記ステップが、
現在前記ＭＳにサービスを提供している前記いずれかの独立移動システムの前記ＶＭＳにおいて各前記個別ボイスメッセージを受信するステップと、
各前記個別ボイスメッセージを現在前記ＭＳにサービスを提供している前記いずれかの独立移動システムのメディアゲートウェイ（ＭＧＷ）に送信するステップと、
各前記個別ボイスメッセージを前記現在ＭＳにサービスを提供している前記いずれかの独立移動システムの前記ＭＧＷから前記ＭＳに送信するステップと、
を含む、請求項６に記載の方法。
【請求項８】
前記いずれかの独立移動システムの前記ＶＭＳが、前記通信ネットワーク内の全ての独立移動システムの各ＶＭＳ上に記憶された前記ＭＳに対する各ボイスメッセージを識別する索引付けサービスを含む、請求項６に記載の方法。
【請求項９】
前記索引付けサービスが、各ＶＭＳを周期的にポーリングすることによって、前記通信ネットワーク内の全ての独立移動システムの各ＶＭＳ上に記憶された前記ＭＳに対する各ボイスメッセージの目録を作成する、請求項８に記載の方法。
【請求項１０】
前記索引付けサービスが、前記通信ネットワーク内の各ＶＭＳからの更新の自動受信に応答して、前記通信ネットワーク内の全ての独立移動システムの各ＶＭＳ上に記憶された前記ＭＳに対する各ボイスメッセージの目録を作成する、請求項８に記載の方法。
【請求項１１】
移動局（ＭＳ）のユーザに対してボイスメッセージを提供するように動作する通信ネットワークであって、前記通信ネットワークが、
少なくとも第１及び第２の独立移動システムであって、前記独立移動システムの各々が、移動交換局（ＭＳＣ）、ショートメッセージサービスセンター（ＳＭＳ−Ｃ）、及びボイスメッセージシステム（ＶＭＳ）を含む独立移動システムを含み、各前記ＶＭＳが一意の識別子コードによって識別され、前記通信ネットワークが、
第１の独立移動システムの第１のＭＳＣにおいてＭＳに対するコール要求を受信し、
前記コール要求を前記第１のＭＳＣから第２の独立移動システムの第２のＭＳＣを介して前記ＭＳにルーティングし、前記第２の独立移動システムが現在前記第２のＭＳにサービスを提供し、
前記第２のＭＳが前記コールに応答しない場合、前記第１又は第２の独立移動システムのＶＭＳにボイスメッセージを記憶し、
前記ＶＭＳによって、ショートメッセージサービスセンター（ＳＭＳ−Ｃ）がＳＭＳ通知メッセージを前記ＭＳに送信することを要求し、
前記ＳＭＳ−Ｃによって、前記ＳＭＳ通知メッセージを前記第２のＭＳＣを介して前記ＭＳに送信し、前記ＳＭＳ通知メッセージが前記第２の独立移動システムの前記ＶＭＳの一意の識別子コードを含み、これによって、前記ＭＳが、いずれかの独立移動システムによってサービスが提供されている場合に、前記ＶＭＳの前記一意の識別子コードにコールを行うことによって、前記ボイスメッセージを検索することができる、
ように動作する、通信ネットワーク。
【請求項１２】
前記ＭＳが、いずれかの独立移動システムによってサービスが提供されている場合に、前記ボイスメッセージを検索することができ、前記通信ネットワークが、更に、
前記ボイスメッセージに対する前記ＭＳからの要求を前記いずれかの独立移動システムのＭＳＣにおいて受信し、前記要求は、前記ＶＭＳの前記一意の識別子コードへと向けられており、
前記ボイスメッセージに対する前記要求を前記いずれかの独立移動システムの前記ＭＳＣから前記ＶＭＳにルーティングし、
前記ＶＭに対する前記要求を前記ＶＭＳにおいて受信し、
前記ボイスメッセージを前記ＶＭＳから前記ＭＳに送信する、
ように動作する、請求項１１に記載の通信ネットワーク。
【請求項１３】
前記通信ネットワークが、前記ボイスメッセージに対する前記要求を前記いずれかの独立移動システムの前記ＭＳＣから前記ＶＭＳにルーティングする際に、更に、
前記ボイスメッセージに対する前記要求を前記いずれかの独立移動システムの前記ＭＳＣから前記第１又は第２の独立移動システムの前記第１又は第２のＭＳＣにルーティングし、
前記ボイスメッセージに対する前記要求を前記第１又は第２の独立移動システムの前記第１又は第２のＭＳＣから前記ＶＭＳにルーティングする、
ように動作する、請求項１２に記載の通信ネットワーク。
【請求項１４】
前記通信ネットワークが、前記ボイスメッセージを前記ＶＭＳから送信する際に、更に、
前記ボイスメッセージを前記いずれかの独立移動システムのメディアゲートウェイ（ＭＧＷ）に送信し、
前記ボイスメッセージを前記いずれかの独立移動システムの前記ＭＧＷから前記ＭＳに送信する、
ように動作する、請求項１３に記載の通信ネットワーク。
【請求項１５】
各前記独立移動システムの前記ＭＳＣ、ＳＭＳ−Ｃ、及びＶＭＳが、物理的に同じ場所に配置されている、請求項１１に記載の通信ネットワーク。
【請求項１６】
前記ＭＳが、いずれかの独立移動システムによってサービスが提供されている場合に、複数のＶＭＳによって記憶された複数のボイスメッセージを検索することができ、前記通信ネットワークが、更に、
現在前記ＭＳにサービスを提供している前記いずれかの独立移動システムのＭＳＣにおいて、全てのボイスメッセージに対する前記ＭＳからの要求を受信し、前記要求がボイスメッセージのための共通の識別子コードへと向けられ、
前記全てのボイスメッセージに対する前記要求を、現在前記ＭＳにサービスを提供している前記いずれかの独立移動システムの前記ＭＳＣから前記いずれかの独立移動システムのＶＭＳにルーティングし、
現在前記ＭＳにサービスを提供している前記いずれかの独立移動システムの前記ＶＭＳによって、前記通信ネットワーク内の全ての独立移動システムの各ＶＭＳ上に記憶された前記第２のＭＳに対する各個別ボイスメッセージを要求し、
前記各個別ボイスメッセージを前記ＭＳに送信する、
ように動作する、請求項１１に記載の通信ネットワーク。
【請求項１７】
前記通信ネットワークが、各前記個別ボイスメッセージを前記ＭＳに送信する際に、更に、
現在前記ＭＳにサービスを提供している前記いずれかの独立移動システムの前記ＶＭＳにおいて各前記個別ボイスメッセージを受信し、
各前記個別ボイスメッセージを現在前記ＭＳにサービスを提供している前記いずれかの独立移動システムのメディアゲートウェイ（ＭＧＷ）に送信し、
各前記個別ボイスメッセージを前記現在ＭＳにサービスを提供している前記いずれかの独立移動システムの前記ＭＧＷから前記ＭＳに送信する、
ように動作する、請求項１６に記載の通信ネットワーク。
【請求項１８】
前記いずれかの独立移動システムの前記ＶＭＳが、前記通信ネットワーク内の全ての独立移動システムの各ＶＭＳ上に記憶された前記ＭＳに対する各ボイスメッセージを識別する索引付けサービスを含む、請求項１６に記載の通信ネットワーク。
【請求項１９】
前記索引付けサービスが、各ＶＭＳを周期的にポーリングすることによって、前記通信ネットワーク内の全ての独立移動システムの各ＶＭＳ上に記憶された前記ＭＳに対する各ボイスメッセージの目録を作成する、請求項１８に記載の通信ネットワーク。
【請求項２０】
前記索引付けサービスが、前記通信ネットワーク内の各ＶＭＳからの更新の自動受信に応答して、前記通信ネットワーク内の全ての独立移動システムの各ＶＭＳ上に記憶された前記ＭＳに対する各ボイスメッセージの目録を作成する、請求項１８に記載の通信ネットワーク。
【発明の詳細な説明】
【技術分野】
【０００１】
技術分野
本発明は、一般に、通信システムに関し、更に具体的には、独立移動電話システムを有する通信ネットワークにおいて移動端末のユーザに対してボイスメッセージサービスを提供するための装置及び方法に関する。
【背景技術】
【０００２】
背景
ボイスメッセージ又は「ボイスメール」システム（ＶＭＳ）は、典型的に、商用移動電話ネットワークにおける中央サーバ（centralized server）で実施される。かかるネットワークにおいては、移動交換局（ＭＳＣ：Mobile Switching Center）、ショートメッセージサービスセンター（ＳＭＳ−Ｃ：Short Message Service Center）、及び無線アクセスネットワーク（ＲＡＮ：Radio Access Network）等のネットワークコンポーネントが、典型的に物理接続されて、広大な地理的領域に対応可能なネットワークを形成する。しかしながら、軍用、民間防衛、又は災害回復の業務では、各々がコアのネットワークコンポーネントだけでなくＲＡＮも含む多くの携帯型、独立型の「ボックス内ネットワーク（network-in-a-box）」システムを展開することが有利である。かかる小型化されたシステムは、コンパクトシステムとも称され、その無線カバレージエリア（coverage area）内の移動局に対してサービスを提供することができ、他のいずれの電気通信インフラストラクチャに対する物理的接続にも依存しない。このシステムは、完全に自立型であり、スタンドアローンの動作が可能である。
【０００３】
独立移動システムが、物理的に移動型であるか、又は固定型であるが間欠的な衛星又はマイクロ波リンクによって遠隔領域に展開されるという展開状況においては、中央のＶＭＳは常にアクセス可能というわけでない場合がある。更に、中央ＶＭＳに依存している場合、これは一点故障（single-point of failure）となる。このため、かかる状況では、サービスを提供している（serving）独立移動システムがスタンドアロンモードで動作している場合であっても、移動局に対してボイスメールサービスを提供することができる分散型ＶＭＳ解決策を有することが有利であろう。従って、当技術分野において、独立移動電話システムを有する通信ネットワークにおいて、移動端末のユーザに対してボイスメッセージサービスを提供するための改善された装置及び方法に対する要望がある。好ましくは、かかる改善された装置及び方法は、単一のＶＭＳが故障した場合に通信ネットワーク全体にわたってＶＭＳサービスの継続を可能とするための耐故障性を提供する。
【発明の概要】
【０００４】
概要
従来技術の上述の欠点に対処するため、少なくとも第１及び第２の独立移動システムを有する通信ネットワークにおいて、移動局（ＭＳ）のユーザに対してボイスメッセージを提供するためのシステム及び方法を開示する。独立移動システムの各々は、移動交換局（ＭＳＣ）、ショートメッセージサービスセンター（ＳＭＳ−Ｃ）、及びボイスメッセージシステム（ＶＭＳ）を含む。一実施形態において、各独立移動システムのＭＳＣ、ＳＭＳ−Ｃ、及びＶＭＳは、物理的に同じ場所に配置されている。
【０００５】
ＭＳに対するコール要求が受信されると、このコール要求は、現在ＭＳにサービスを提供している独立移動システムのＭＳＣを介してＭＳにルーティングされる。ＭＳがコール要求に応答しない場合、発呼者はＶＭＳにボイスメッセージを残すことができる。次いで、ＶＭＳは、ＳＭＳ−ＣがＳＭＳ通知メッセージをＭＳに送信することを要求する。ＳＭＳ通知メッセージは、ボイスメッセージが記憶されている独立移動システムのＶＭＳの一意の識別子コードを含み、これによってＭＳは、ＶＭＳの一意の識別子コードに対するコールを行うことによって、ボイスメッセージを検索することができる。
【０００６】
ＭＳは、いずれかの独立移動システムによってサービスが提供されている場合、ボイスメッセージを検索することができる。これを行うために、ＭＳはボイスメッセージに対する要求を送信し、これは、現在ＭＳにサービスを提供している独立移動システムのＭＳＣによって受信される。この要求は、ボイスメッセージを受信したＶＭＳの一意の識別子コードへと向けられる。ボイスメッセージに対する要求は、現在ＭＳにサービスを提供している独立移動システムのＭＳＣから、ボイスメッセージを記憶しているＶＭＳにルーティングされ、これが次いでボイスメッセージをＭＳに送信させることができる。一実施形態において、ＶＭＳからＭＳへのボイスメッセージの送信は、メッセージが記憶された独立移動システムのメディアゲートウェイ（ＭＧＷ）にボイスメッセージを送信し、これが次いで現在ＭＳにサービスを提供している独立移動システムのＭＧＷを介してＭＳにボイスメッセージを送信することを含む。
【０００７】
一実施形態においては、ＭＳは、いずれかの独立移動システムによってサービスが提供されている場合、複数のＶＭＳによって記憶された複数のボイスメッセージを検索することができる。かかる実施形態において、ＭＳは、全ボイスメッセージに対する要求を送信し、これは、現在ＭＳにサービスを提供している独立移動システムのＭＳＣによって受信される。要求は、ボイスメッセージの共通の識別子コードへと向けられる。ボイスメッセージ要求は、現在ＭＳにサービスを提供している独立移動システムのＭＳＣから、その独立移動システムのＶＭＳにルーティングされる。次いで、ＶＭＳは、通信ネットワーク内の全ての独立移動システムの各ＶＭＳ上に記憶されたＭＳのための各個別ボイスメッセージを要求する。次いで、各ボイスメッセージがＭＳに送信される。一実施形態においては、各ボイスメッセージは、これを記憶しているＶＭＳから直接ＭＳに送信される。代替的な実施形態では、各個別ボイスメッセージは、現在ＭＳにサービスを提供している独立移動システムのＶＭＳにおいて受信される。次いで、このＶＭＳは、各個別ボイスメッセージを、現在ＭＳにサービスを提供している独立移動システムのメディアゲートウェイ（ＭＧＷ）に送信し、これが次いでボイスメッセージをＭＳに送信する。
【０００８】
一実施形態においては、各ＶＭＳは、通信ネットワーク内の全ての独立移動システムの各ＶＭＳ上に記憶された各ボイスメッセージを識別する索引付けサービスを含む。索引付けサービスは、各ＶＭＳを周期的にポーリングすることによって、あるいは、通信ネットワーク内の各ＶＭＳからの更新の自動受信に応答して、通信ネットワーク内の全ての独立移動システムの各ＶＭＳ上に記憶された各ボイスメッセージの目録を作成することができる。
【０００９】
前述のものは、本発明の原理をどちらかというと大まかに概説しているので、当業者は、以下の例示的な実施形態の詳細な説明をいっそう理解することができる。当業者が、本発明の同じ目的を実行するための他の構造及び方法を設計又は変更するための基礎として、開示した概念及び例示的な実施形態を容易に使用可能であることは、当業者には認められよう。また、かかる均等の構成が、後に提示される特許請求の範囲によって規定される本発明の最も広い形態におけるその精神及び範囲から逸脱しないことは、当業者には認められよう。
【００１０】
本発明をいっそう充分に理解するため、ここで、添付図面と関連付けて、以下の詳細な説明を参照する。
【図面の簡単な説明】
【００１１】
図面の簡単な説明
【図１】図１は、本発明の原理に従った、ボイスメッセージの記憶及びその通知に関するシグナリング（signaling）を示す。
【図２】図２は、本発明の原理に従った、ボイスメッセージの検索に関する第１の例示的なシグナリングを示す。
【図３】図３は、本発明の原理に従った、ボイスメッセージの検索に関する第２の例示的なシグナリングを示す。
【００１２】
詳細な説明
図１を参照すると、少なくとも第１及び第２の独立移動システム（１０１−Ａ、１０１−Ｂ）を有する通信ネットワークにおける、ボイスメッセージの記憶及びその移動局（ＭＳ）に対する通知に関するシグナリングが例示されている。独立移動システムの各々は、移動交換局（ＭＳＣ、１０２−Ａ、１０２−Ｂ）、ショートメッセージサービスセンター（ＳＭＳ−Ｃ、１０３−Ａ、１０３−Ｂ）、及びボイスメッセージシステム（ＶＭＳ、１０４−Ａ、１０４−Ｂ）を含む。各独立移動システムのＭＳＣ、ＳＭＳ−Ｃ、及びＶＭＳは、移動軍用用途のためのコンパクトシステムにおけるように、物理的に同じ場所に配置されている。
【００１３】
例えば、ＭＳ１０５−ＡからＭＳ１０５−Ｂに向けて、ＭＳに対するコール要求１１１が受信されると、コール要求１１１は、現在ＭＳ１０５−Ｂにサービスを提供している独立移動システム１０１−ＢのＭＳＣ１０２−Ｂを介してＭＳ１０５−Ｂにルーティングされる。ここに示す例では、コール要求１１１は、最初に、発呼側ＭＳ１０５−Ａに現在サービスを提供しているＭＳＣ１０２−Ａによって受信される。次いで、ＭＳＣ１０２−Ａは、コール要求１１２を、被呼側ＭＳ１０５−Ｂに現在サービスを提供している独立移動システム１０１−ＢのＭＳＣ１０２−Ｂにルーティングする。
【００１４】
被呼側ＭＳ１０５−Ｂがコール要求に応答しない場合、又はＭＳ１０５−Ｂがコールを自動的にボイスメールにルーティングするように構成されている場合（例えば無条件コール転送）、発呼者はボイスメッセージを残すことができる。一実施形態において、ボイスメッセージは、コール要求が受信された独立移動システムのＶＭＳに記憶される。例えば、図１において、コール要求１１１は独立移動システム１０１−ＡのＭＳＣ１０２−Ａにおいて受信される。ＭＳ１０５−Ｂがコール要求に応答しない場合、発呼者は、ＶＭＳ１０４−Ａにボイスメッセージ１１３−Ａを残すように指示される。次いで、ＶＭＳ１０４−Ａは、独立移動システム１０１−ＡのＳＭＳ−Ｃ１０３−ＡがＳＭＳ通知メッセージ１１５−ＡをＭＳ１０５−Ｂに送信することを要求する（１１４−Ａ）。ＳＭＳ通知メッセージ１１５−Ａは、ＭＳＣ１０２−Ａによって、被呼側ＭＳ１０５−Ｂにサービスを提供しているＭＳＣ１０２−Ｂにルーティングされ（１１６）、次いでＭＳＣ１０２−ＢからＭＳ１０５−Ｂにルーティングされる（１１７）。代替的な実施形態においては、ボイスメッセージは、現在ＭＳ１０５−Ｂにサービスを提供している独立移動システム１０１−ＢのＶＭＳ１０４−Ｂに記憶される。この実施形態では、次いで、ＶＭＳ１０４−Ｂは、独立移動システム１０１−ＢのＳＭＳ−Ｃ１０３ＢがＳＭＳ通知メッセージ１１５−ＢをＭＳ１０５−Ｂに送信することを要求する（１１４−Ｂ）。図１に示すように、ＳＭＳ通知メッセージは、最初にＳＭＳ−Ｃ１０３−ＢからＭＳＣ１０２−Ｂ（１１５）にルーティングされ（１１５）、次いでＭＳＣ１０２−ＢからＭＳ１０５−Ｂにルーティングされる（１１７）。双方の実施形態において、ＳＭＳ通知メッセージは、メッセージが記憶されているＶＭＳの一意の識別子コードを含み、これによってＭＳ１０５−Ｂは、ＶＭＳの一意の識別子コードに対するコールを行うことによってボイスメッセージを検索することができ、この際、ボイスメッセージを要求する時点でどの独立移動システムがＭＳ１０５−Ｂにサービスを提供しているかは無関係である。この機能は図２に示されている。
【００１５】
ここで図２に移ると、いずれかの独立移動システムによってサービスが提供されている場合の、ＭＳによるボイスメッセージの検索に関する第１の例示的なシグナリングが例示されている。図１に示したように、ＭＳ１０５−Ｂのためのボイスメッセージは、独立移動システム１０１−ＢのＶＭＳ１０４−Ｂに記憶された。しかしながら、図２において、ボイスメッセージの要求が行われる時点で、ＭＳ１０５−Ｂは独立移動システム２０１によってサービスが提供されている。ボイスメッセージを検索するために、ＭＳ１０５−Ｂは、ボイスメッセージの要求を送信する（２１１）。これは、現在ＭＳにサービスを提供している独立移動システム２０１のＭＳＣ２０２によって受信される。この要求は、ボイスメッセージを受信した独立移動システム１０１−ＢのＶＭＳ１０４−Ｂの一意の識別子コードへと向けられる。ボイスメッセージの要求（ＶＭ要求）は、現在ＭＳ１０５−Ｂにサービスを提供している独立移動システム２０１のＭＳＣ２０２から、ボイスメッセージを記憶しているＶＭＳ１０４−Ｂにルーティングされ（２１２）、これが次いでボイスメッセージをＭＳに送信させることができる。図２に示すように、ＶＭ要求は、最初にＭＳＣ２０２からＭＳＣ１０２−Ｂにルーティングされ（２１２）、次いでＭＳＣ１０２−ＢからＶＭＳ１０４−Ｂにルーティングされる（２１３）。
【００１６】
ボイスメッセージ要求（２１３）に応答して、ＶＭＳ１０４−Ｂは、ボイスメッセージをＭＳ１０５−Ｂに送信する。一実施形態においては、ボイスメッセージは、メッセージが記憶された独立移動システム１０１−Ｂのメディアゲートウェイ（ＭＧＷ：Media Gateway）に送信され（２１４）、これが次いで、この時点でＭＳにサービスを提供している独立移動システム２０１のＭＧＷを介して、ＭＳ１０５−Ｂにボイスメッセージを送信する。図２に示すように、ＭＧＷは、各独立移動システムのＭＳＣと物理的に一体化されている。しかしながら、ＭＧＷは、別個の物理エンティティである場合もあり、又は別個の物理エンティティがホストとなる場合もある。
【００１７】
最後に、図３を参照すると、いずれかの独立移動システムによってサービスが提供されている場合の、ＭＳによるボイスメッセージの検索に関する第２の例示的なシグナリングが例示されている。この実施形態においては、いずれかの独立移動システムによってサービスが提供されている場合に、ＭＳは、複数のＶＭＳによって記憶された複数のボイスメッセージを検索することができる。かかる実施形態において、ＭＳ１０５−Ｂは、全ボイスメッセージに対する要求を送信し（３１１）、これは、現在ＭＳにサービスを提供している独立移動システム２０１のＭＳＣ２０２によって受信される。要求は、ボイスメッセージの共通の識別子コードへと向けられる。ボイスメッセージ要求は、ＭＳＣ２０２から独立移動システムのＶＭＳ２０４にルーティングされる。次いで、ＶＭＳ２０４は、通信ネットワーク内の全ての独立移動システムの各ＶＭＳ上に記憶されたＭＳ１０５−Ｂのための各個別ボイスメッセージを要求する。次いで、各ボイスメッセージがＭＳ１０５−Ｂに送信される。
【００１８】
複数のＶＭＳによって記憶された全てのボイスメッセージの送信を管理するために、各ＶＭＳは、通信ネットワーク内の全ての独立移動システムの各ＶＭＳ上に記憶された各ボイスメッセージを識別する索引付けサービスを含むことができる。索引付けサービスは、各ＶＭＳを周期的にポーリングすることによって、あるいは、通信ネットワーク内の各ＶＭＳからの更新の自動受信に応答して、通信ネットワーク内の全ての独立移動システムの各ＶＭＳ上に記憶された各ボイスメッセージの目録を作成することができる。
【００１９】
索引の内容に基づいて、ＶＭＳ２０４は、遠隔のＶＭＳ１０４−Ｂにボイスメッセージ要求を送信することによって、別の独立移動システム１０１−ＢのＶＭＳ１０４−Ｂ上に記憶されたボイスメッセージの送信を可能とし、これが次いでボイスメッセージをＭＳ１０５−Ｂにルーティングする。図３に示すように、ＶＭＳ２０４からのボイスメッセージは、最初にＭＳＣ２０２にルーティングされ（３１３）、次いでＭＳＣ１０２−Ｂにルーティングされ（３１４）、次いでＶＭＳ１０４−Ｂにルーティングされる（３１５）。ボイスメッセージ要求の受信（３１５）に応答して、ＶＭＳ１０４−ＢはボイスメッセージをＭＳ１０５−Ｂに送信する。
【００２０】
一実施形態においては、ボイスメッセージは、メッセージが記憶された独立移動システム１０１−Ｂのメディアゲートウェイ（ＭＧＷ）に送信され（３１６）、これが次いで、この時点でＭＳにサービスを提供している独立移動システム２０１のＭＧＷを介して、ＭＳ１０５−Ｂにボイスメッセージを送信する。ボイスメッセージは、ＭＧＷ１０２−ＢからＭＧＷ２０２にルーティングされ（３１７）、次いでＭＳ１０５−Ｂに直接ルーティングされる（３２０）。あるいは、ボイスメッセージは、最初にＭＳＣ２０２からＶＭＳ２０４にルーティングされ（３１８）、これが次いで、ＭＧＷ２０２を介したＭＳ１０５−Ｂに対するルーティグ（３１９）を制御することができる。
【００２１】
本明細書において説明した本発明は、単一の数をダイヤルしてユーザのメールボックスにアクセスするボイスメールを用いた標準的なユーザの経験を変更する。本発明は、１群の独立移動システムを介してボイスメールを配信し、これによって一点故障を回避するという特有の利点を有する。単一の独立移動システム又はＶＭＳが故障しても、そのシステムに記憶されたボイスメッセージが喪失するだけである。かかる故障では、全てのボイスメールが中央サーバ上に記憶された場合に見られるように、新しいボイスメッセージの記憶及び検索が妨げられることはない。更に、システム又はリンクの停止が永久的でない場合、ユーザは、手作業のコンフィギュレーションなしで、全ての記憶されたボイスメッセージに対するアクセスを取り戻す。また、多数のシステムにボイスメッセージを記憶することによって、軍用及び災害回復のための展開等の困難な移動用途にいっそう適した低コストかつ低容量コンポーネントを用いて、コンパクトシステムを構築することができる。
【００２２】
本発明について詳細に説明したが、当業者は、本発明の最も広い形態におけるその精神及び範囲から逸脱することなく、本明細書において記載した例示的な実施形態に対して、様々な変更、置換、及び代替が考えられるであろう。本明細書に提示した例示的な実施形態は、本発明の原理を示し、網羅的であることも、本発明を開示した形態に限定することも意図していない。本発明の範囲は、添付の特許請求の範囲及びそれらの均等物によって規定されることが意図される。
【図１】
2010537462.tif 000003
【図２】
2010537462.tif 000004
【図３】
2010537462.tif 000005
【手続補正書】
【提出日】平成21年6月15日(2009.6.15)
【手続補正１】
【補正対象書類名】特許請求の範囲
【補正対象項目名】全文
【補正方法】変更
【補正の内容】
【特許請求の範囲】
【請求項１】
少なくとも第１及び第２の独立移動システムを有する通信ネットワークにおいて移動局（ＭＳ）のユーザに対してボイスメッセージを提供するための方法であって、前記独立移動システムの各々が、移動交換局（ＭＳＣ）、ショートメッセージサービスセンター（ＳＭＳ−Ｃ）、及びボイスメッセージシステム（ＶＭＳ）を含み、各前記ＶＭＳが一意の識別子コードによって識別される、前記方法が、
第１の独立移動システムの第１のＭＳＣにおいてＭＳに対するコール要求を受信するステップと、
前記コール要求を前記第１のＭＳＣから第２の独立移動システムの第２のＭＳＣを介して前記ＭＳにルーティングするステップであって、前記第２の独立移動システムが現在前記第２のＭＳにサービスを提供している、ステップと、
前記第２のＭＳが前記コールに応答しない場合、前記第１又は第２の独立移動システムのボイスメールシステム（ＶＭＳ）にボイスメッセージを記憶するステップと、
前記ＶＭＳによって、ショートメッセージサービスセンター（ＳＭＳ−Ｃ）がＳＭＳ通知メッセージを前記ＭＳに送信することを要求するステップと、
前記ＳＭＳ−Ｃによって、前記ＳＭＳ通知メッセージを前記第２のＭＳＣを介して前記ＭＳに送信するステップであって、前記ＳＭＳ通知メッセージが前記ＶＭＳの一意の識別子コードを含み、これによって、前記第２のＭＳが、いずれかの独立移動システムによってサービスが提供されている場合に、前記ＶＭＳの前記一意の識別子コードにコールを行うことによって、前記ボイスメッセージを検索することができる、ステップと、
を含み、
前記ＭＳが、いずれかの独立移動システムによってサービスが提供されている場合に、複数のＶＭＳによって記憶された複数のボイスメッセージを検索することができ、前記方法が、
現在前記ＭＳにサービスを提供している前記いずれかの独立移動システムのＭＳＣにおいて、全てのボイスメッセージに対する前記ＭＳからの要求を受信するステップであって、前記要求がボイスメッセージのための共通の識別子コードへと向けられる、ステップと、
前記全てのボイスメッセージに対する前記要求を、現在前記ＭＳにサービスを提供している前記いずれかの独立移動システムの前記ＭＳＣから前記いずれかの独立移動システムのＶＭＳにルーティングするステップと、
現在前記ＭＳにサービスを提供している前記いずれかの独立移動システムの前記ＶＭＳによって、前記通信ネットワーク内の全ての独立移動システムの各ＶＭＳ上に記憶された前記ＭＳに対する各個別ボイスメッセージを要求するステップと、
前記各個別ボイスメッセージを前記ＭＳに送信するステップと、
を更に含む、方法。
【請求項２】
前記ＭＳが、いずれかの独立移動システムによってサービスが提供されている場合に、前記ボイスメッセージを検索することができ、前記方法が、
前記ボイスメッセージに対する前記ＭＳからの要求を前記いずれかの独立移動システムのＭＳＣにおいて受信するステップであって、前記要求が、前記ＳＭＳ通知メッセージにおいて受信された前記ＶＭＳの前記一意の識別子コードへと向けられる、ステップと、
前記ボイスメッセージに対する前記要求を前記いずれかの独立移動システムの前記ＭＳＣから前記ＶＭＳにルーティングするステップと、
前記ボイスメッセージに対する前記要求を前記ＶＭＳにおいて受信するステップと、
前記ボイスメッセージを前記ＶＭＳから前記ＭＳに送信するステップと、
を更に含む、請求項１に記載の方法。
【請求項３】
前記ボイスメッセージに対する前記要求を前記いずれかの独立移動システムの前記ＭＳＣから前記ＶＭＳにルーティングする前記ステップが、
前記ボイスメッセージに対する前記要求を前記いずれかの独立移動システムの前記ＭＳＣから前記第１又は第２の独立移動システムの前記第１又は第２のＭＳＣにルーティングするステップと、
前記ボイスメッセージに対する前記要求を前記第１又は第２の独立移動システムの前記第１又は第２のＭＳＣから前記ＶＭＳにルーティングするステップと、
を含む、請求項２に記載の方法。
【請求項４】
前記ボイスメッセージを前記ＶＭＳから前記ＭＳに送信する前記ステップが、
前記ボイスメッセージを前記いずれかの独立移動システムのメディアゲートウェイ（ＭＧＷ）に送信するステップと、
前記ボイスメッセージを前記いずれかの独立移動システムの前記ＭＧＷから前記ＭＳに送信するステップと、
を含む、請求項３に記載の方法。
【請求項５】
各前記独立移動システムの前記ＭＳＣ、ＳＭＳ−Ｃ、及びＶＭＳが、物理的に同じ場所に配置されている、請求項１に記載の方法。
【請求項６】
各前記個別ボイスメッセージを前記ＭＳに送信する前記ステップが、
現在前記ＭＳにサービスを提供している前記いずれかの独立移動システムの前記ＶＭＳにおいて各前記個別ボイスメッセージを受信するステップと、
各前記個別ボイスメッセージを現在前記ＭＳにサービスを提供している前記いずれかの独立移動システムのメディアゲートウェイ（ＭＧＷ）に送信するステップと、
各前記個別ボイスメッセージを前記現在ＭＳにサービスを提供している前記いずれかの独立移動システムの前記ＭＧＷから前記ＭＳに送信するステップと、
を含む、請求項１に記載の方法。
【請求項７】
前記いずれかの独立移動システムの前記ＶＭＳが、前記通信ネットワーク内の全ての独立移動システムの各ＶＭＳ上に記憶された前記ＭＳに対する各ボイスメッセージを識別する索引付けサービスを含む、請求項１に記載の方法。
【請求項８】
前記索引付けサービスが、各ＶＭＳを周期的にポーリングすることによって、前記通信ネットワーク内の全ての独立移動システムの各ＶＭＳ上に記憶された前記ＭＳに対する各ボイスメッセージの目録を作成する、請求項７に記載の方法。
【請求項９】
前記索引付けサービスが、前記通信ネットワーク内の各ＶＭＳからの更新の自動受信に応答して、前記通信ネットワーク内の全ての独立移動システムの各ＶＭＳ上に記憶された前記ＭＳに対する各ボイスメッセージの目録を作成する、請求項７に記載の方法。
【請求項１０】
移動局（ＭＳ）のユーザに対してボイスメッセージを提供するように動作する通信ネットワークであって、前記通信ネットワークが、
少なくとも第１及び第２の独立移動システムであって、前記独立移動システムの各々が、移動交換局（ＭＳＣ）、ショートメッセージサービスセンター（ＳＭＳ−Ｃ）、及びボイスメッセージシステム（ＶＭＳ）を含む独立移動システムを含み、各前記ＶＭＳが一意の識別子コードによって識別され、前記通信ネットワークが、
第１の独立移動システムの第１のＭＳＣにおいてＭＳに対するコール要求を受信し、
前記コール要求を前記第１のＭＳＣから第２の独立移動システムの第２のＭＳＣを介して前記ＭＳにルーティングし、前記第２の独立移動システムが現在前記第２のＭＳにサービスを提供し、
前記第２のＭＳが前記コールに応答しない場合、前記第１又は第２の独立移動システムのＶＭＳにボイスメッセージを記憶し、
前記ＶＭＳによって、ショートメッセージサービスセンター（ＳＭＳ−Ｃ）がＳＭＳ通知メッセージを前記ＭＳに送信することを要求し、
前記ＳＭＳ−Ｃによって、前記ＳＭＳ通知メッセージを前記第２のＭＳＣを介して前記ＭＳに送信し、前記ＳＭＳ通知メッセージが前記第２の独立移動システムの前記ＶＭＳの一意の識別子コードを含み、これによって、前記ＭＳが、いずれかの独立移動システムによってサービスが提供されている場合に、前記ＶＭＳの前記一意の識別子コードにコールを行うことによって、前記ボイスメッセージを検索することができる、
ように動作し、
前記ＭＳが、いずれかの独立移動システムによってサービスが提供されている場合に、複数のＶＭＳによって記憶された複数のボイスメッセージを検索することができ、前記通信ネットワークが、更に、
現在前記ＭＳにサービスを提供している前記いずれかの独立移動システムのＭＳＣにおいて、全てのボイスメッセージに対する前記ＭＳからの要求を受信し、前記要求がボイスメッセージのための共通の識別子コードへと向けられ、
前記全てのボイスメッセージに対する前記要求を、現在前記ＭＳにサービスを提供している前記いずれかの独立移動システムの前記ＭＳＣから前記いずれかの独立移動システムのＶＭＳにルーティングし、
現在前記ＭＳにサービスを提供している前記いずれかの独立移動システムの前記ＶＭＳによって、前記通信ネットワーク内の全ての独立移動システムの各ＶＭＳ上に記憶された前記第２のＭＳに対する各個別ボイスメッセージを要求し、
前記各個別ボイスメッセージを前記ＭＳに送信する、
ように動作する、通信ネットワーク。
【請求項１１】
前記ＭＳが、いずれかの独立移動システムによってサービスが提供されている場合に、前記ボイスメッセージを検索することができ、前記通信ネットワークが、更に、
前記ボイスメッセージに対する前記ＭＳからの要求を前記いずれかの独立移動システムのＭＳＣにおいて受信し、前記要求は、前記ＶＭＳの前記一意の識別子コードへと向けられており、
前記ボイスメッセージに対する前記要求を前記いずれかの独立移動システムの前記ＭＳＣから前記ＶＭＳにルーティングし、
前記ＶＭに対する前記要求を前記ＶＭＳにおいて受信し、
前記ボイスメッセージを前記ＶＭＳから前記ＭＳに送信する、
ように動作する、請求項１０に記載の通信ネットワーク。
【請求項１２】
前記通信ネットワークが、前記ボイスメッセージに対する前記要求を前記いずれかの独立移動システムの前記ＭＳＣから前記ＶＭＳにルーティングする際に、更に、
前記ボイスメッセージに対する前記要求を前記いずれかの独立移動システムの前記ＭＳＣから前記第１又は第２の独立移動システムの前記第１又は第２のＭＳＣにルーティングし、
前記ボイスメッセージに対する前記要求を前記第１又は第２の独立移動システムの前記第１又は第２のＭＳＣから前記ＶＭＳにルーティングする、
ように動作する、請求項１１に記載の通信ネットワーク。
【請求項１３】
前記通信ネットワークが、前記ボイスメッセージを前記ＶＭＳから送信する際に、更に、
前記ボイスメッセージを前記いずれかの独立移動システムのメディアゲートウェイ（ＭＧＷ）に送信し、
前記ボイスメッセージを前記いずれかの独立移動システムの前記ＭＧＷから前記ＭＳに送信する、
ように動作する、請求項１２に記載の通信ネットワーク。
【請求項１４】
各前記独立移動システムの前記ＭＳＣ、ＳＭＳ−Ｃ、及びＶＭＳが、物理的に同じ場所に配置されている、請求項１０に記載の通信ネットワーク。
【請求項１５】
前記通信ネットワークが、各前記個別ボイスメッセージを前記ＭＳに送信する際に、更に、
現在前記ＭＳにサービスを提供している前記いずれかの独立移動システムの前記ＶＭＳにおいて各前記個別ボイスメッセージを受信し、
各前記個別ボイスメッセージを現在前記ＭＳにサービスを提供している前記いずれかの独立移動システムのメディアゲートウェイ（ＭＧＷ）に送信し、
各前記個別ボイスメッセージを前記現在ＭＳにサービスを提供している前記いずれかの独立移動システムの前記ＭＧＷから前記ＭＳに送信する、
ように動作する、請求項１０に記載の通信ネットワーク。
【請求項１６】
前記いずれかの独立移動システムの前記ＶＭＳが、前記通信ネットワーク内の全ての独立移動システムの各ＶＭＳ上に記憶された前記ＭＳに対する各ボイスメッセージを識別する索引付けサービスを含む、請求項１０に記載の通信ネットワーク。
【請求項１７】
前記索引付けサービスが、各ＶＭＳを周期的にポーリングすることによって、前記通信ネットワーク内の全ての独立移動システムの各ＶＭＳ上に記憶された前記ＭＳに対する各ボイスメッセージの目録を作成する、請求項１６に記載の通信ネットワーク。
【請求項１８】
前記索引付けサービスが、前記通信ネットワーク内の各ＶＭＳからの更新の自動受信に応答して、前記通信ネットワーク内の全ての独立移動システムの各ＶＭＳ上に記憶された前記ＭＳに対する各ボイスメッセージの目録を作成する、請求項１６に記載の通信ネットワーク。
【国際調査報告】
2010537462.tif 000006
2010537462.tif 000007
2010537462.tif 000008